(57)【要約】      （修正有）【課題】２つの磁性体を偏心位置に相対して設置し、磁性体の磁性の違いにより、磁性体を連続運転させて電気エネルギーを発生させる、発電機装置を提供する。 【解決手段】発電機装置は、起動装置、回動機構、発電装置、蓄電装置及び制御装置を含み、制御装置の制御を通して起動装置に回動機構を起動させ、前記回動機構は２つの相対する磁性体の偏心配置の構成により、磁性体が回動運転する。２つの磁性体上に同一極性の相互に斥力を発揮させて２つの磁性体を連続回動させ、発電装置を動かし、電気エネルギーを発生させて蓄電装置に保存させる。制御装置が回動機構、発電装置及び蓄電装置からの信号を受信し、これにより使用者は制御装置を介して発電機全体の運転状況を知ることができ、上述の構造により発電機を運転させ、電気エネルギーを発生し、従来の発電機が発生する汚染を効果的に抑え、かつその消耗する必要があるエネルギーを減少することができる。【選択図】図１
0003145821.tif 000002
【実用新案登録請求の範囲】
【請求項１】
発電機装置であって、起動装置、回動機構、発電装置、蓄電装置、制御装置を含み、前記起動装置は前記回動機構と相互に接続され、前記制御装置からの制御信号を受信し、前記回動機構を起動して運転させることができ、前記回動機構は少なくとも一組の相対して設置された同一極性の磁性体を含み、前記磁性体上に枢軸が設けられて距離調整器上に連結され、前記磁性体は相互間が偏心位置に設置され、前記発電装置は前記回動機構と相互に接続され、前記回動機構が旋回動エネルギーを発生すると、前記発電装置のモーターが回動されて電気エネルギーを発生し、同時に発生した電気エネルギーを前記蓄電装置に伝送し、保存させることができ、前記蓄電装置は前記発電装置が発生する電気エネルギーを保存し、且つ前記蓄電装置と前記起動装置が相互に接続され、同時に前記蓄電装置の電気エネルギーはその他外部部材での使用に提供することもでき、前記制御装置は前記回動機構、発電装置及び蓄電装置からの信号を受信し、前記起動装置を制御して前記回動機構を起動することを特徴とする、発電機装置。
【請求項２】
前記磁性体が磁石であることを特徴とする、請求項１に記載の発電機装置。
【請求項３】
前記磁性体が電磁石であることを特徴とする、請求項１に記載の発電機装置。
【請求項４】
前記発電装置がモーター発電機であることを特徴とする、請求項１に記載の発電機装置。
【請求項５】
前記蓄電装置がリチウム電池であることを特徴とする、請求項１に記載の発電機装置。
【請求項６】
前記制御装置にディスプレイパネルを設置し、受信した信号を該ディスプレイパネル上に表示することができることを特徴とする、請求項１に記載の発電機装置。
【請求項７】
前記制御装置に演算ユニットが設けられ、前記回動機構の磁性体間の回転速度が速過ぎるまたは遅すぎるときは、演算ユニットを介して２つの相対する磁性体間の距離を自動調整し、発電機の安定性を維持することを特徴とする、請求項１に記載の発電機装置。
【考案の詳細な説明】
【技術分野】
【０００１】
本考案は発電機装置に関し、特に、磁力の相互斥力の原理を利用し、２つの磁性体を偏心方式で設置することにより、２つの磁性体が相互間の磁力作用で絶え間なく回転し、電気エネルギーを発生する発電機装置に関する。
【背景技術】
【０００２】
日常生活において、人々は絶え間なく各種形態のエネルギー資源を消耗しており、例えばバスや電車に乗れば石化エネルギーや電気エネルギーが消耗され、また温度を調節するためのエアコンも電力の供給が必要であり、人々がシャワーを浴びるときに使用する温水器もガスや電力の提供が必要である。このため、限りあるエネルギー資源をいかに有効に運用かつ利用するかということが現今克服と解決が必要な問題である。
【０００３】
また、世界の資源は日増しに欠乏しつつあり、加えて地球温暖化の問題が重大さを増す中で、いかにその他資源を利用してエネルギーを生み出し、現在の限られた火力発電、原子力発電に取って代わるかということは、すでに現在最も克服に尽力が必要な問題となっており、上述の問題を解決するため、現在水力発電、風力発電等の方式を使用して発電のニーズを達しているが、水力、風力発電は尽きることのないエネルギー源ではあるものの、最大の問題はエネルギーが不安定である点であり、このため水力、風力発電は未だ補助的な発電方式であり、現在の火力及び原子力発電を効果的に代替することはできず、同時に環境の破壊及び温暖化問題をさらに引き起こしてしまう。
【０００４】
このことから分かるように、上述の発電装置にはまだ多くの欠点があり、優れた設計であるとは言えず、改良が待たれている。
【０００５】
本考案の考案者は上述の従来装置に派生する各項の欠点に鑑みて改良を加え、且つ長年の研究を経て、ついに本考案の発電機装置の開発に成功したものである。
【考案の開示】
【考案が解決しようとする課題】
【０００６】
本考案の目的は、２つの磁性体を偏心位置に相対して設置し、同時に磁性体の磁性の違いにより、磁性体を連続運転させて電気エネルギーを発生させることができる、発電機装置を提供することにある。
【０００７】
本考案の別の目的は、距離調整器の設置により、２つの磁性体間の距離を調整し、磁性体の磁性を効果的に維持し、発電機の運転を安定した状態に保つことができる、発電機装置を提供することにある。
【課題を解決するための手段】
【０００８】
本考案の発電機装置は、起動装置、回動機構、発電装置、蓄電装置、制御装置を含み、前記起動装置は前記回動機構と相互に接続され、前記制御装置からの制御信号を受信し、前記回動機構を起動して運転させることができ、前記回動機構は少なくとも一組の相対して設置された磁性体を含み、前記磁性体上に枢軸が設けられて距離調整器上に連結され、前記磁性体は相互間が偏心位置に設置され、前記磁性体が起動装置の起動を受けて運転されると、２つの磁性体間の偏心構造に前記磁性体上の相互に斥力を発揮する極性を組み合わせることで、前記磁性体が運転後磁極の影響を受けて絶え間なく運転され、２つの磁性体間の運転が速過ぎるまたは遅すぎるときは、距離調整器により２つの磁性体間の距離を調整し、安定した回転速度を維持すると共に、発電装置が必要とする動エネルギーを提供し、前記発電装置は前記回動機構と相互に接続され、前記回動機構が回転して旋回動エネルギーを発生すると、前記発電装置が駆動されて回動され、電気エネルギーを発生し、同時に発生した電気エネルギーを前記蓄電装置に伝送し、保存させることができ、前記蓄電装置は前記発電装置が発生する電気エネルギーを保存し、且つ前記蓄電装置と前記起動装置が相互に接続され、前記起動装置が回動機構を動かす電気エネルギーも前記蓄電装置を通して提供することができ、同時に前記蓄電装置の電気エネルギーはその他外部部材での使用に提供することもでき、前記制御装置は前記回動機構、発電装置及び蓄電装置からの信号を受信し、これにより使用者は前記制御装置を通して発電機全体の運転状況を知ることができる。
【０００９】
このほか、本考案の回動機構は２つの相対する磁性体から構成され、前記磁性体が運転されると、前記磁性体上のカーボン粉が自然に脱落し、徐々に薄くなると共に、間の距離が徐々に大きくなって磁性が低下するため、２つの磁性体間の磁性が低下したときは、距離調整器で２つの磁性体間の距離を調整し、磁性を維持することができるだけでなく、前記起動装置を通して磁性体の回動を補助し、磁性体が一定の回転速度を回復したとき、前記起動装置の補助運転を停止し、発電機の動作を持続させることができる。磁性体から脱落したカーボン粉は、カーボン粉回収装置を設置して回収することができる。
【考案の効果】
【００１０】
上述の構造により発電機を運転させて電気エネルギーを発生し、従来の発電機が発生する汚染を効果的に抑え、かつその消耗する必要があるエネルギーを減少することができる。
【考案を実施するための最良の形態】
【００１１】
図１から図３に本考案の発電機装置の構造を示すブロック図、回動機構平面図及び立体図をそれぞれ示す。本考案の発電機装置は起動装置１、制御装置２、回動機構３、発電装置４、蓄電装置５を含む。
【００１２】
前記起動装置１は前記回動機構３と相互に接続され、前記制御装置２からの制御信号を受信し、前記回動機構３を起動して運転させることができ、初期起動は外部接続電源または蓄電装置５からの電源を採用することができる。
【００１３】
前記回動機構３は少なくとも一組の相対して設置された磁性体３１を含み、且つ該磁性体３１は磁石または電磁石とすることができ、磁性体３１上に枢軸を設けて距離調整器３２上に連結し、前記２つの相対する磁性体３１間は相互間が偏心位置に設置され、前記磁性体３１が前記起動装置１の起動を受けて運転されると、２つの磁性体３１間の偏心構造に、前記磁性体３１上の相互に斥力を発揮する極性を組み合わせ、該磁性体３１が運転後磁極の影響を受けて絶え間なく運転され、２つの磁性体３１間の運転が速過ぎるときは、距離調整器３２により２つの磁性体３１間の距離を遠くして磁性体３１間の磁性を低下させ、磁性体３１が磨耗してその間の距離が広がり、運転が遅くなりすぎたときは、制御装置を介して距離調整器３２を自動制御し、２つの磁性体３１の間の距離を近付け、２つの磁性体３１間の磁性を増加することができ、距離制御器３２の設置により、２つの磁性体３１間の回転速度を安定した状態に維持し、発電装置が必要とする動エネルギーを提供することができる。
【００１４】
前記発電装置４は前記回動機構３と相互に接続され、且つ、該発電装置４はモーター発電機とすることができ、前記回動機構３の旋回動エネルギーが発生すると、発電装置４のモーターを回動させて電気エネルギーを発生することができ、同時に発生した電気エネルギーを蓄電装置５に伝送し、保存させることができる。
【００１５】
前記蓄電装置５は前記発電装置４が発生する電気エネルギーを保存し、且つ前記蓄電装置５と前記起動装置１が相互に接続され、前記起動装置１が回動機構３を動かす電気エネルギーも前記蓄電装置５を通して提供することができ、同時に前記蓄電装置５の電気エネルギーはその他外部部材での使用に提供することもでき、上述の蓄電装置５はリチウム電池とすることができる。
【００１６】
前記制御装置２は前記回動機構３、発電装置４及び蓄電装置５からの信号を受信し、これにより使用者は前記制御装置２を通して発電機１０全体の運転状況を知ることができる。上述の構造により、発電機１０を運転して電気エネルギーを発生し、発電機１０が発生する汚染を効果的に抑えると共に、その消耗する必要があるエネルギーを減少することができる。前記制御装置２はディスプレイパネルを設けることができ、受信した信号を該ディスプレイパネル上に表示し、使用者が隨時観測に使用できるようにしてもよい。このほか、前記制御装置２は演算ユニット２１を設置することができ、前記回動機構３の磁性体３１間の回転速度が速過ぎる、または遅すぎるとき、演算ユニット２１で磁性体３１間の間の距離を自動調整し、発電機１０の安定性を維持することができる。
【００１７】
また、本考案の回動機構３は２つの相対する磁性体３１から構成され、磁性体３１の運転時、磁性体３１上のカーボン粉が自然に脱落するため、２つの相対する磁性体３１間の磁性が低下すると、距離調整器３２で２つの磁性体３１間の距離を調整し、磁性を維持することができるだけでなく、起動装置１を通して磁性体３１の回動を補助し、磁性体３１が一定の回転速度を回復すると、該起動装置１が補助運転を停止し、発電機１０の動作を持続させることができる。
【００１８】
上記の詳細な説明は本考案の最良の実施例に対する具体的な説明であり、前記実施例は本考案の特許範囲を制限するものではなく、本考案の技術的要旨を逸脱しない同等効果を達する実施または変更はすべて本考案の特許範囲内に含まれるものとする。
【００１９】
上述をまとめると、本考案は空間形態上新しいだけでなく、従来の発電機に比べ上述の多数の効果を増進することができ、充分に新規性及び進歩性の法定特許要件を満たしているため、法に基づきここに出願を提出するものであり、貴局には本特許出願案を批准し、創作を奨励していただいて、省エネ、二酸化炭素削減、環境保護の実現を達せられるよう願うものである。
【図面の簡単な説明】
【００２０】
【図１】本考案の発電機装置の構造を示すブロック図である。
【図２】本考案の発電機装置の回動機構の平面図である。
【図３】本考案の発電機装置の回動機構の立体図である。
【符号の説明】
【００２１】
１          起動装置
２        制御装置
２１      演算ユニット
３        回動機構
３１        磁性体
３２      距離調整器
４        発電装置
５        蓄電装置
１０      発電機
【図１】
0003145821.tif 000003
【図２】
0003145821.tif 000004
【図３】
0003145821.tif 000005